(57)【要約】【課題】本発明は、端末による売上集計と自動販売機全体の売上集計との整合性を容易に図ることができるようにするものである。【解決手段】端末により商品を購入可能なように端末との間でデータ送受信を行う交信手段と、自動販売機の販売動作を制御する自販機制御部と、該自販機制御部と前記交信手段との間で各種データの処理を行う交信制御部とを備えた自動販売機において、商品の売上情報を記憶する第１の記憶手段と、端末による商品の売上情報を記憶する第２の記憶手段と、商品の売上情報を印字するプリンタと、商品の売上情報の期間売上の締め処理を指示するとともに、プリンタへの印字を指示する起動手段と、該起動手段の操作により期間売上のプリンタによる印字が終了すると、自販機制御部より精算データを交信制御部に送信する送信手段と、上記送信手段により精算データが送信されたことにより、第２の記憶手段に記憶されている商品売上情報の期間売上の締め処理を行う手段とを備えたものである。【選択図】        図１
2004334829.tif 000002
【特許請求の範囲】
【請求項１】
端末により商品を購入可能なように端末との間でデータ送受信を行う交信手段と、自動販売機の販売動作を制御する自販機制御部と、該自販機制御部と前記交信手段との間で各種データの処理を行う交信制御部とを備えた自動販売機において、
商品の売上情報を記憶する第１の記憶手段と、端末による商品の売上情報を記憶する第２の記憶手段と、商品の売上情報を印字するプリンタと、商品の売上情報の期間売上の締め処理を指示するとともに、プリンタへの印字を指示する起動手段と、該起動手段の操作により期間売上のプリンタによる印字が終了すると、自販機制御部より精算データを交信制御部に送信する送信手段と、上記送信手段により精算データが送信されたことにより、第２の記憶手段に記憶されている商品売上情報の期間売上の締め処理を行う手段とを備え、
たことを特徴とする自動販売機。
【請求項２】
請求項１記載の自動販売機において、通信手段を介して接続されるセンタ装置を備え、交信制御部より端末による期間売上および精算データをセンタ装置に送信し、送信結果をプリンタにより印字させることを特徴とする自動販売機。
【請求項３】
請求項２記載の自動販売機において、センタ装置に送信した端末による期間売上および精算データをプリンタにより印字させることを特徴とする自動販売機。
【請求項４】
請求項１ないし３のいずれかに記載の自動販売機において、締め処理による期間売上の印字終了に基づいて、第１の記憶手段の期間売上データをクリアすることを特徴とする自動販売機。
【請求項５】
請求項２ないし４のいずれかに記載の自動販売機において、交信制御部より端末による商品の売上情報および精算データをセンタ装置に送信し、送信が正常に終了すると、送信結果をプリンタにより印字させるとともに、第１の記憶手段のデータをクリアすることを特徴とする自動販売機。
【請求項６】
請求項１ないし５のいずれかに記載の自動販売機において、起動手段が操作されると、締め処理前にセンタ装置に時刻同期を要求し、センタ装置から現在時刻データを交信制御部および自販機制御部に送信して現在時刻合せをすることを特徴とする自動販売機。
【請求項７】
請求項３ないし５のいずれかに記載の自動販売機において、センタ装置に送信した端末による期間売上および精算データをプリンタにより印字する前に、自動販売機の現在時刻を印字させることを特徴とする自動販売機。
【請求項８】
請求項２ないし７のいずれかに記載の自動販売機において、交信制御部からプリンタに対して印字依頼を送信した際に、自動販売機側にて稼動中の際には印字を行なわず、交信制御部にてリトライ動作を行なうことを特徴とする自動販売機。
【請求項９】
端末により商品を購入可能なように端末との間でデータ送受信を行う交信手段と、自動販売機の販売動作を制御する自販機制御部と、該自販機制御部と前記交信手段との間で各種データの処理を行う交信制御部とを備えた自動販売機において、
商品の売上情報を記憶する第１の記憶手段と、端末による商品の売上情報を記憶する第２の記憶手段と、商品の売上情報を印字するプリンタと、商品の売上情報の期間売上の締め処理を指示するとともに、プリンタへの印字を指示する起動手段と、該起動手段の操作により期間売上のプリンタによる印字が終了すると、自販機制御部より精算データを交信制御部に送信する送信手段と、上記送信手段により精算データが送信されたことにより、第２の記憶手段に記憶されている商品売上情報の期間売上の締め処理を行う手段と、センタ装置とを備え、
センタ装置は交信制御部に対し、所定間隔で第２の記憶手段のデータの送信要求を行うことを特徴とする自動販売機。
【請求項１０】
請求項９記載の自動販売機において、センタ装置のデータ要求に基づき売上データを送信する際に、売上データに精算データが含まれている場合には、送信結果をプリンタにより印字させることを特徴とする自動販売機。
【請求項１１】
請求１０記載の自動販売機において、センタ装置に送信した端末による期間売上および精算データをプリンタにより印字させることを特徴とする自動販売機。
【請求項１２】
請求項９ないし１１のいずれかに記載の自動販売機において、センタ装置によるデータ要求時にセンタ装置側から現在時刻データを送信し、交信制御部および自販機制御部との現在時刻合せを行うことを特徴とする自動販売機。
【請求項１３】
請求項１１記載の自動販売機において、センタ装置に送信した端末による期間売上および精算データをプリンタにより印字する前に、自動販売機の現在時刻を印字させることを特徴とする自動販売機。
【請求項１４】
請求項１ないし１３のいずれかに記載の自動販売機において、プリンタへ自動販売機の累計売上の印字を指示する第２の起動手段を備えることを特徴とする自動販売機。
【請求項１５】
請求項１４記載の自動販売機において、第２の起動手段により累計売上の印字が指示された際には、第２の記憶手段の締め処理は行い、第１の記憶手段の売上データはクリアを行わないことを特徴とする自動販売機。
【請求項１６】
請求項１ないし１５のいずれかに記載の自動販売機において、プリンタおよび起動手段は、自販機制御部もしくは交信制御部の少なくともいずれか一方に備えられていることを特徴とする自動販売機。
【請求項１７】
請求項１ないし１６のいずれかに記載の自動販売機において、表示手段もしくは携帯の情報端末を備え、売上情報を表示手段もしくは携帯の情報端末へ送信する送信手段を備えたことを特徴とする自動販売機。
【請求項１８】
請求項１ないし１７のいずれかに記載の自動販売機において、交信制御部の締め処理が正常に終了することにより、自販機制御部の締め処理を行うことを特徴とする自動販売機。
【請求項１９】
請求項１８に記載の自動販売機において、自販機制御部の締め処理は、期間売上の印字であることを特徴とする自動販売機。
【請求項２０】
請求項１ないし１９のいずれかに記載の自動販売機において、精算データは締め処理を行った精算時刻データであることを特徴とする自動販売機。
【発明の詳細な説明】
【０００１】
【発明の属する技術分野】
本発明は、端末（電子マネー）を利用して商品を購入した際に売上データを収集する自動販売機に関する。
【０００２】
【従来の技術】
自動販売機において、端末（電子マネー）として非接触式のＩＣカードを用い、このカードを自動販売機にかざすことにより、商品を購入できる方式として、例えば、以下の方式が知られている。
【０００３】
すなわち、販売開始ボタンを設け、利用者がこの販売開始ボタンが押すと、自動販売機側で非接触ＩＣカードにより販売であると認識し、自動販売機側では、この時点で商品選択可能な状態として販売可能表示ランプを点灯する。
【０００４】
ここで、利用者は商品選択押釦を押して、商品を選択し、この後、自動販売機のアンテナ部に非接触式ＩＣカードをかざすと、電力供給ための電波を発信して交信が行われ、選択した商品の精算が行われた後、商品の搬出が行われるものである（例えば、特許文献１参照。）。
【０００５】
また、自動販売機内の商品売上集計方法としては、自動販売機内の締めスイッチを操作して、売上集計するとともに、この売上集計をホストから収集する方式が知られている（例えば、特許文献２参照。）。
【０００６】
【特許文献１】
特開２００１−１６７３３１号公報
【特許文献２】
特開平７−０４９９７９号公報
【０００７】
【発明が解決しようとする課題】
ところで、従来の方式であると、端末（電子マネー）による商品の売上集計と自動販売機全体の売上集計とは必ずしも同期しておらず、それぞれ独立したタイミングにて売上集計を行っているため、例えば、一方の収集を忘れてしまうと、センタ装置での集計データが合わなくなり、端末分の精算を自動販売機管理者側と端末管理者側とで精算する際に、自動販売機側との売上時期の整合性が取れないとの不都合が生じるという問題点があった。
【０００８】
本発明は、上記の問題点を鑑みてなされたものであり、端末による売上集計と自動販売機全体の売上集計との整合性を容易に図ることのできる自動販売機機を提供することを目的とする。
【０００９】
【課題を解決するための手段】
上述の課題を解決するために、本発明の自動販売機によれば、以下の手段により達成されるものである。
（１）端末により商品を購入可能なように端末との間でデータ送受信を行う交信手段と、自動販売機の販売動作を制御する自販機制御部と、該自販機制御部と前記交信手段との間で各種データの処理を行う交信制御部とを備えた自動販売機において、商品の売上情報を記憶する第１の記憶手段と、端末による商品の売上情報を記憶する第２の記憶手段と、商品の売上情報を印字するプリンタと、商品の売上情報の期間売上の締め処理を指示するとともに、プリンタへの印字を指示する起動手段と、該起動手段の操作により期間売上のプリンタによる印字が終了すると、自販機制御部より精算データを交信制御部に送信する送信手段と、上記送信手段により精算データが送信されたことにより、第２の記憶手段に記憶されている商品売上情報の期間売上の締め処理を行う手段とを備えることを特徴とする。
（２）上記（１）記載の構成において、通信手段を介して接続されるセンタ装置を備え、交信制御部より端末による期間売上および精算データをセンタ装置に送信し、送信結果をプリンタにより印字させることを特徴とする。
（３）上記（２）記載の構成において、センタ装置に送信した端末による期間売上および精算データをプリンタにより印字させることを特徴とする。
（４）上記（１）ないし（３）のいずれかに記載の構成において、締め処理による期間売上の印字終了に基づいて、第１の記憶手段の期間売上データをクリアすることを特徴とする。
（５）上記（２）ないし（４）のいずれかに記載の構成において、交信制御部より端末による商品の売上情報および精算データをセンタ装置に送信し、送信が正常に終了すると、送信結果をプリンタにより印字させるとともに、第１の記憶手段のデータをクリアすることを特徴とする。
（６）上記（１）ないし（５）のいずれかに記載の構成において、起動手段が操作されると、締め処理前にセンタ装置に時刻同期を要求し、センタ装置から現在時刻データを交信制御部および自販機制御部に送信して現在時刻合せをすることを特徴とする。
（７）上記（３）ないし（５）のいずれかに記載の構成において、センタ装置に送信した端末による期間売上および精算データをプリンタにより印字する前に、自動販売機の現在時刻を印字させることを特徴とする。
（８）上記（２）ないし（７）のいずれかに記載の構成において、交信制御部からプリンタに対して印字依頼を送信した際に、自動販売機側にて稼動中の際には印字を行なわず、交信制御部にてリトライ動作を行なうことを特徴とする。
（９）端末により商品を購入可能なように端末との間でデータ送受信を行う交信手段と、自動販売機の販売動作を制御する自販機制御部と、該自販機制御部と前記交信手段との間で各種データの処理を行う交信制御部とを備えた自動販売機において、商品の売上情報を記憶する第１の記憶手段と、端末による商品の売上情報を記憶する第２の記憶手段と、商品の売上情報を印字するプリンタと、商品の売上情報の期間売上の締め処理を指示するとともに、プリンタへの印字を指示する起動手段と、該起動手段の操作により期間売上のプリンタによる印字が終了すると、自販機制御部より精算データを交信制御部に送信する送信手段と、上記送信手段により精算データが送信されたことにより、第２の記憶手段に記憶されている商品売上情報の期間売上の締め処理を行う手段と、センタ装置とを備え、センタ装置は交信制御部に対し、所定間隔で第２の記憶手段のデータの送信要求を行うことを特徴とする。
（１０）上記（９）記載の構成において、センタ装置のデータ要求に基づき売上データを送信する際に、売上データに精算データが含まれている場合には、送信結果をプリンタにより印字させることを特徴とする。
（１１）上記（１０）記載の構成において、センタ装置に送信した端末による期間売上および精算データをプリンタにより印字させることを特徴とする。
（１２）上記（９）ないし（１１）のいずれかに記載の構成において、センタ装置によるデータ要求時にセンタ装置側から現在時刻データを送信し、交信制御部および自販機制御部との現在時刻合せを行うことを特徴とする。
（１３）上記（１１）記載の構成において、センタ装置に送信した端末による期間売上および精算データをプリンタにより印字する前に、自動販売機の現在時刻を印字させることを特徴とする。
（１４）上記（１）ないし（１３）のいずれかに記載の構成において、プリンタへ自動販売機の累計売上の印字を指示する第２の起動手段を備えることを特徴とする。
（１５）上記（１４）に記載の構成において、請求項１３記載の自動販売機において、第２の起動手段により累計売上の印字が指示された際には、第２の記憶手段の締め処理は行い、第１の記憶手段の売上データはクリアを行わないことを特徴とする。
（１６）上記（１）ないし（１５）のいずれかに記載の構成において、プリンタおよび起動手段は、自販機制御部もしくは交信制御部の少なくともいずれか一方に備えられていることを特徴とする。
（１７）上記（１）ないし（１６）のいずれかに記載の構成において、表示手段もしくは携帯の情報端末を備え、売上情報を表示手段もしくは携帯の情報端末へ送信する送信手段を備えたことを特徴とする。
（１８）上記（１）ないし（１７）のいずれかに記載の構成において、交信制御部の締め処理が正常に終了することにより、自販機制御部の締め処理を行うことを特徴とする。
（１９）上記（１８）記載の構成において、自販機制御部の締め処理は、期間売上の印字であることを特徴とする。
（２０）上記（１）ないし（１９）のいずれかに記載の構成において、精算データは締め処理を行った精算時刻データであることを特徴とする。
【００１０】
【発明の実施の形態】
図１〜図２６は本発明の実施の形態の構成図を示すもので、以下に説明する。
【００１１】
図１は本発明による自動販売機の制御装置の一例を示すブロック図であり、図２５は自動販売機前面の概略構成を示す正面図である。
【００１２】
図１，図２５において、１は自動販売機１００の販売動作を統括し、記憶部１ａと時計１ｂとを有する自販機主制御部、２は各商品に対する商品選択ボタン２Ａ、販売可能ランプ２Ｂ、金額表示器２Ｃ、返却レバー２Ｄなどを含む接客部、３は非接触式端末５との交信（決済）を行うために自動販売機前面部に設けられる接客交信部、４は接客交信部３と主制御部１との間に設けられ、接客交信部３を制御し、記憶部４ａと時計４ｂとを有する交信制御部、６は端末受付可能ランプ６Ａ、操作スイッチ６Ｂなどが設けられる端末接客部、７は図３に示すように例えば図示していないコネクタなどで自動販売機のバスライン１ｃに接続され、期間売上クリア印字締め起動スイッチ７ａ、期間売上（累計）印字スイッチ７ｂ、再期間売上クリア印字起動スイッチ７ｃ、紙送りスイッチ７ｄなどを有するプリンタ、８は交信制御部４と例えばＲＳ２３２Ｃで接続される通信端末、９は交信制御部に接続される締め起動スイッチ、１０は通信端末とオンラインで接続されるセンタである。
【００１３】
なお、電子マネーとしての非接触式端末５には、金額が予め書き込まれており、その端末の方式としては、ＩＣカード、ＩＣタグ、携帯電話、ＰＤＡなどの各種機器が考えられ、接客交信部３との交信方法も電波（電磁誘導方式など）、Ｂｌｕｅｔｏｏｔｈなどのワイヤレス接続（無線など）、ＩｒＤＡ（赤外線通信）などその使用端末に応じて対応できるように接客交信部３が構成されている。
【００１４】
また、自動販売機１００の前面には、接客部２としての上記商品選択ボタン２Ａ、販売可能ランプ２Ｂ、金額表示器２Ｃ、返却レバー２Ｄ、端末接客部６としての端末受付可能ランプ６Ａ、操作スイッチ６Ｂの他、貨幣投入口１１、商品見本展示部１２、商品取出口１３、貨幣返却口１４などが設けられており、現金でも商品を購入できることは言うまでもないが、貨幣投入口１１及び貨幣返却口１４を省き、非接触式端末の専用機にしても良い。
【００１５】
この構成において、非接触式端末にて商品を購入する場合の一例について図２６に示す非接触式端末と自動販売機との交信手順を示す図を用いて説明する。
【００１６】
なお、本交信の前提条件として、接客交信部３は販売待機状態においても常時非接触式端末５を受付可能な状態となっている。
【００１７】
販売待機状態において、端末受付可能ランプ６Ａが点灯している状態で、商品選択ボタン２Ａが押下されると、選択コラムと引落額とを交信制御部４に送信し、交信制御部４では接客交信部３に対し、引落額の決済を指示するとともに、自動販売機１００の自販機主制御部１では、選択された商品のみの販売可能ランプ２Ｂを点滅させるとともに金額表示器２Ｃの金額表示を行い、交信制御部４では、端末受付可能ランプ６Ａを点滅させる。
【００１８】
ここで、非接触式端末５を接客交信部３にかざすと、接客交信部３にて、非接触式端末５の検出、認証、残高の読込みをそれぞれ行うとともに、非接触式端末５の残高に対し、引落額の決済を行う。正常に実際の決済が行われると、正常決済が行われたことを接客交信部３から交信制御部４に送信し、交信制御部４では自販機主制御部１に対し決済結果、販売依頼、旧残高、決済後の残高、残金の表示依頼などが送信して、自販機主制御部１にて正常決済を確認した後、残金表示とともに商品の搬出が行われ、一連の販売動作を終了することになる。
【００１９】
この時に、交信制御部４の記憶部４ａには利用者ＩＤと購入日時と金額などを記憶させ、主制御部１の記憶部１ａには、販売した商品の情報を記憶させる。
【００２０】
次に、現金による購入に関しては、周知のとおりであり、販売した商品の情報を主制御部１の記憶部１ａに記憶させる。
【００２１】
次に、図３ないし図２４は売上の締め処理についての各種実施例を示すのもので、順に説明する。
【００２２】
図３は第１の期間売上の締め処理手順を示す図で、図３に示すように、売上集計を行う際に、自動販売機１００側の売上データ締め操作である期間売上クリア印字締め起動スイッチ７ａが操作されると（ステップＳ１）、図１８の期間売上の印字内容を示す図から明らかなように、プリンタ７により、最初に前回締め日時から今回締め日時までの日時が印字され、次に、例えばコラム別の期間売上データが印字され、期間売上データが全て印字されると、最後に符号（ａ）で示す「（データクリア）」を印字し（ステップＳ２）、その印字された期間売上データを自販機主制御部１の記憶部１ａからクリアして（ステップＳ３）、自販機主制御部１側から交信制御部４に対し、図１７の自販機精算データを示す図から明らかなように８Ｂｙｔｅのデータからなる精算時刻データとしての自販機精算データを送信する（ステップＳ４）。
【００２３】
交信制御部４では、この自販機精算データを受信することにより、自動販売機１００側で精算が行われたことを認識でき、非接触式端末５による期間売上データの締め処理として、図１９の端末売上明細を示す図から明らかなように、記憶部４ａに記憶されている１件別の利用者ＩＤと購入日時と金額などの売上データに続いて、その締め日時としての精算時刻データが、交信制御部４側の時計４ｂによる時刻データと自動販売機側から送信されてきた精算データとが合せて記憶される（ステップＳ５）。
【００２４】
この図３の例では、自動販売機１００のプリンタ７に設けられている起動スイッチ７ａにより締め処理を起動したが、図１に示したように交信制御部４に締め起動スイッチ９を設けても良く、この場合は、図４に示した第２の期間売上の締め処理手順を示す図のように、締め起動スイッチ９が操作されると（Ｓ１０１）、操作されたことを交信制御部４で検知し、締め起動スイッチ９を検知したことを自販機主制御部１に送信する（ステップＳ１０２）。この後の処理動作は、図３と同様の締め処理であり（ステップＳ２〜Ｓ５参照）、説明を省略する。
【００２５】
次に、上述の図３，４の実施の形態では、交信制御部４での非接触式端末５による期間売上データの締め処理結果をどうように出力するかを定義していなかったが、この交信制御部４の締め処理を通信手段を用いて上位設備であるセンタ１０に送信する交信手順について説明する。
【００２６】
図５は第３の期間売上の締め処理手順を示す図で、図５に示すように、売上集計を行う際に、自動販売機１００側の売上データ締め操作である期間売上クリア印字締め起動スイッチ７ａが操作されると（ステップＳ１）、図１８の期間売上の印字内容を示す図から明らかなように、プリンタ７により、最初に前回締め日時から今回締め日時までの日時が印字され、次に、例えばコラム別の期間売上データとが印字され、期間売上データが全て印字されると、最後に「（データクリア）」を印字し（ステップＳ２）、その印字された期間売上データを自販機主制御部１の記憶部１ａからクリアして（ステップＳ３）、自販機主制御部１側から交信制御部４に対し、図１７の自販機精算データを示す図から明らかなように８Ｂｙｔｅのデータからなる精算時刻データとしての自販機精算データを送信する（ステップＳ４）。
【００２７】
交信制御部４では、この自販機精算データを受信することにより、自動販売機１００側で精算が行われたことを認識でき、非接触式端末５による期間売上データの締め処理として、図１９の端末売上明細を示す図から明らかなように、記憶部４ａに記憶されている１件別の利用者ＩＤと購入日時と金額などの売上データに続いて、その締め日時として、交信制御部４側の時計４ｂによる時刻データと自動販売機側から送信されてきた精算データとが合せて記憶される（ステップＳ５）。
【００２８】
ここで、交信制御部４は、この期間売上データと精算時刻データとを、通信端末８から端末発呼方式でセンタ１０に送信し（ステップＳ６）、データ送信が正常終了すれば（ステップＳ７）、交信制御部４から自販機制御部１へ締め結果が成功であったことを送信して（ステップＳ８）、自販機主制御部１ではプリンタ７に対して、図２０の交信結果の印字内容を示す図から明らかなように、「シメコウシンＯＫ」と交信制御部４の端末情報とを印字させて処理を終了する（ステップＳ９）。
【００２９】
この図５の例では、自動販売機のプリンタ７に設けられている起動スイッチ７ａにより締め処理を起動したが、図１に示したように交信制御部４に締め起動スイッチ９を設けても良く、この場合は、図６に示した第４の期間売上の締め処理手順を示す図のように、締め起動スイッチ９が操作されると（ステップＳ１０１）、操作されたことを交信制御部４で検知し、締め起動スイッチ９の操作を検知したことを自販機主制御部１に送信する（ステップＳ１０２）。この後の処理動作は、図５と同様の締め処理であり（ステップＳ２〜Ｓ９）、説明を省略する。
【００３０】
次に、図７は第５の期間売上の締め処理手順を示す図であり、図７に示すように、センタ１０からデータを収集する方式で、自動販売機１００の締め起動に関係なく、センタ１０側から交信制御部４に対し、所定間隔でデータ収集を行うものである。
【００３１】
まず、第５の期間売上の締め処理は、図５で示した第３の期間売上の締め処理と同様に売上集計を行う際に、自動販売機１００側の売上データ締め操作である期間売上クリア印字締め起動スイッチ７ａが操作されると（ステップＳ１）、図１８の期間売上の印字内容を示す図から明らかなように、プリンタ７により、最初に前回締め日時から今回締め日時までの日時が印字され、次に、例えばコラム別の期間売上データが印字され、期間売上データが全て印字されると、「（データクリア）」を印字し（ステップＳ２）、その印字された期間売上データを自販機主制御部１の記憶部１ａからクリアして（ステップＳ３）、自販機主制御部１側から交信制御部４に対し、図１７の自販機精算データを示す図から明らかなように８Ｂｙｔｅのデータからなる精算時刻データとしての自販機精算データを送信する（ステップＳ４）。
【００３２】
交信制御部４では、この自販機精算データを受信することにより、自動販売機１００側で精算が行われたことを認識でき、非接触式端末５による期間売上データの締め処理として、図１９の端末売上明細を示す図から明らかなように、記憶部４ａに記憶されている１件別の利用者ＩＤと購入日時と金額などの売上データに続いて、その締め日時として、交信制御部４側の時計４ｂによる時刻データと自動販売機側から送信されてきた精算データとが合せて記憶される（ステップＳ５）。
【００３３】
次に、交信制御部４では、その後、非接触式端末５による商品販売があれば、先の精算時刻データの記憶に続けて利用者ＩＤと購入日時と金額とを順次記憶していき、その後、センタ１０側からデータ要求が送信されてくると（ステップＳ１０３）、交信制御部４では前回送信した以降のデータからデータ要求前までのデータをセンタ１０に送信する（ステップＳ６ａ）。
【００３４】
ここで、センタ１０にて収集したこの売上データに締め精算時刻データが含まれており、かつデータ送信が正常終了であれば（ステップＳ７ａ）、交信制御部４から自販機制御部１へ締め結果が成功であったことを送信して（ステップＳ８ａ）、自販機主制御部１ではプリンタ７に対して、図２０の交信結果の印字内容を示す図から明らかなように、「シメコウシンＯＫ」と交信制御部４の端末情報とを印字させて処理を終了する（ステップＳ９）。
【００３５】
なお、データ送信に締めの精算時刻データが存在しない場合には、締め結果の印字はしない。
【００３６】
このように、図７の処理では、センタ側からデータ収集をかける方式であるため、締め精算時刻に関係なく、データ収集が行われ、前回の締め精算時刻と今回の締め精算時刻とで、自動販売機の期間売上データとの整合性が図れ、また、作業者は締め交信正常か否かを意識することなく、締め結果が成功した時点で、プリンタ７から印字されるようにしておけばよく、次回訪問時に確認できる。
【００３７】
この図７の例では、センタ収集方式で、かつ自動販売機のプリンタ７に設けられている起動スイッチ７ａにより締め処理を起動したが、図１に示したように交信制御部４に締め起動スイッチ９を設けても良く、この場合は、図８に示した第６の期間売上の締め処理手順を示す図のように、締め起動スイッチ９が操作されると（ステップＳ１０１）、操作されたことを交信制御部４で検知し、締め起動スイッチ９を検知したことを自販機主制御部１に送信する（ステップＳ１０２）。この後の処理動作は、図７と同様の締め処理であり（ステップＳ２〜Ｓ９，Ｓ１０３）、説明を省略する。
【００３８】
図９は第７の期間売上の締め処理手順を示す図で、図９に示すように、売上集計を行う際に、自動販売機１００側の売上データ締め操作である期間売上クリア印字締め起動スイッチ７ａが操作されると（ステップＳ１）、図１８の期間売上の印字内容を示す図から明らかなように、プリンタ７により、最初に前回締め日時から今回締め日時までの日時が印字され、次に、例えばコラム別の期間売上データが印字され、期間売上データが全て印字されると（ステップＳ２ａ）、自販機主制御部１側から交信制御部４に対し、図１７の自販機精算データを示す図から明らかなように８Ｂｙｔｅのデータからなる精算時刻データとしての自販機精算データを送信する（ステップＳ４）。
【００３９】
交信制御部４では、この自販機精算データを受信することにより、自動販売機１００側で精算が行われたことを認識でき、非接触式端末５による期間売上データの締め処理として、図１９の端末売上明細を示す図から明らかなように、記憶部４ａに記憶されている１件別の利用者ＩＤと購入日時と金額などの売上データに続いて、その締め日時として、交信制御部４側の時計４ｂによる時刻データと自動販売機側から送信されてきた精算データとが合せて記憶される（ステップＳ５）。
【００４０】
ここで、交信制御部４は、この期間売上データと精算時刻データとを、通信端末８から端末発呼方式でセンタ１０に送信し（ステップＳ６）、データ送信が正常終了すれば（ステップＳ７）、交信制御部４から自販機制御部１へ締め結果が成功であったことを送信して（ステップＳ８）、自販機主制御部１ではプリンタ７に対して、図１８に示すように、「（データクリア）」を印字させ、締め処理の送信が成功した時点で初めて印字した期間売上データをクリアするとともに（ステップＳ３ａ）、図２０の交信結果の印字内容を示す図から明らかなように、「シメコウシンＯＫ」と交信制御部４の端末情報とを印字させて処理を終了する（ステップＳ９）。
【００４１】
このように、第７の期間売上の締め処理では、締め処理の送信が通信異常により送信できない場合を想定して、締め処理の送信が正常に成功するまでは、記憶部１ａの内容をクリアしないようにするものである。
【００４２】
この図９の例では、自動販売機のプリンタ７に設けられている起動スイッチ７ａにより締め処理を起動したが、図１に示したように交信制御部４に締め起動スイッチ９を設けても良く、この場合は、図１０に示した第８の期間売上の締め処理手順を示す図のように、締め起動スイッチ９が操作されると（ステップＳ１０１）、操作されたことを交信制御部４で検知し、締め起動スイッチ９を検知したことを自販機主制御部１に送信する（ステップＳ１０２）。この後の処理動作は、図９と同様の締め処理であり（Ｓ２ａ〜Ｓ９）、説明を省略する。
【００４３】
なお、図９，図１０の応用例として、図７，図８に示したセンタ収集方式も考えられるが、この場合には、記憶部１ａのデータクリアする時点の問題があるため、センタ収集のタイミングと自動販売機での締め処理とのタイミングを合せておく必要がある。
【００４４】
図１１は第９の期間売上の締め処理手順を示す図で、図１１に示すように、図９に示した第７の期間売上の締め処理手順に比べ、締め処理前に時刻合せの処理が追加されたものである。
【００４５】
すなわち、売上集計を行う際に、自動販売機１００側の売上データ締め操作売上集計を行う際に、自動販売機１００側の売上データ締め操作である期間売上クリア印字締め起動スイッチ７ａが操作されると（ステップＳ１）、自販機主制御部１から交信制御部４に対して時刻同期要求を送信し（ステップＳ１０４）、この自動販売機からの時刻同期要求を受けて交信制御部４では、通信端末８からセンタ１０に対して時刻同期要求を送信する（ステップＳ１０５）。この時刻同期要求を受けてセンタ１０では、現在時刻データを交信制御部４に送信し（ステップＳ１０６）、現在時刻データを受信した交信制御部４では、自販機主制御部１に現在時刻を送信する（ステップＳ１０７）。ここで、交信制御部４と自販機主制御部１では、それぞれ内蔵する時計４ｂ，時計１ｂに受信した現在時刻データを設定することにより、精算した時間合せが容易に行われ、自販機主制御部１では、この現在時刻データの設定が完了すると、図１８の期間売上の印字内容を示す図から明らかなように、プリンタ７により、最初に前回締め日時から今回締め日時までの日時が印字され、次に、例えばコラム別の期間売上データとが印字され、期間売上データが全て印字されると（ステップＳ２ａ）、自販機主制御部１側から交信制御部４に対して、図１７の自販機精算データを示す図から明らかなように８Ｂｙｔｅのデータからなる精算時刻データとしての自販機精算データを送信する（ステップＳ４）。
【００４６】
交信制御部４では、この自販機精算データを受信することにより、自動販売機１００側で精算が行われたことを認識でき、非接触式端末５による期間売上データの締め処理として、図１９の端末売上明細を示す図から明らかなように、記憶部４ａに記憶されている１件別の利用者ＩＤと購入日時と金額などの売上データに続いて、その締め日時として、交信制御部４側の時計４ｂによる時刻データと自動販売機側から送信されてきた精算データとが合せて記憶される（ステップＳ５）。
【００４７】
ここで、交信制御部４は、この期間売上データと精算時刻データとを、通信端末７から端末発呼方式でセンタ１０に送信し（ステップＳ６）、データ送信が正常終了すれば（ステップＳ７）、交信制御部４から自販機制御部１へ締め結果が成功であったことを送信して（ステップＳ８）、自販機主制御部１ではプリンタ７に対して、図１８に示すように、「（データクリア）」を印字させ、締め処理の送信が成功した時点で初めて印字した期間売上データをクリアするとともに（ステップＳ３ａ）、図２０の交信結果の印字内容を示す図から明らかなように、「シメコウシンＯＫ」と交信制御部４の端末情報とを印字させて処理を終了する（ステップＳ９）。
【００４８】
この図１１の例では、自動販売機のプリンタ７に設けられている起動スイッチ７ａにより締め処理を起動したが、図１に示したように交信制御部４に締め起動スイッチ９を設けても良く、この場合は、図１２に示した第１０の期間売上の締め処理手順を示す図のように、締め起動スイッチ９が操作されると（ステップＳ１０１）、操作されたことを交信制御部４で検知し、交信制御部４では、通信端末８からセンタ１０に対して時刻同期要求を送信する（ステップＳ１０５ａ）。この時刻同期要求を受けてセンタ１０では、現在時刻データを交信制御部４に送信し（ステップＳ１０６）、現在時刻データを受信した交信制御部４では、自販機主制御部１に現在時刻を送信するとともに（ステップＳ１０７）、締め起動スイッチ９を検知したことをこの時点で自販機主制御部１に送信する（ステップＳ１０２ａ）。ここで、交信制御部４と自販機主制御部１では、それぞれ内蔵する時計４ｂ，時計１ｂに受信した現在時刻データを設定することにより、精算した時間合せが容易に行われ、自販機主制御部１では、この現在時刻データの設定が完了する。この後の処理動作は、図１１と同様の締め処理であり（ステップＳ２ａ〜Ｓ９）、説明を省略する。
【００４９】
次に、図１３は第１１の期間売上の締め処理を示す図で、図７のセンタ収集による締め処理の変形例であり、センタ１０からのデータ要求送信時に現在時刻データを合せて交信制御部４に送信する。このように、センタからのデータ要乳時には、必ず現在時刻合せを行うものであり、定期的にセンタ１０、交信制御部４、自販機主制御部１との現在時刻データを同期させる。
【００５０】
まず、自動販売機１００側の売上データ締め操作である期間売上クリア印字締め起動スイッチ７ａが操作されると（ステップＳ１）、図１８の期間売上の印字内容を示す図から明らかなように、プリンタ７により、最初に前回締め日時から今回締め日時までの日時が印字され、次に、例えばコラム別の期間売上データが印字され、期間売上データが全て印字されると、「（データクリア）」を印字させ（ステップＳ２）、その印字された期間売上データを自販機主制御部１の記憶部１ａからクリアして（ステップＳ３）、自販機主制御部１側から交信制御部４に対し、図１７の自販機精算データを示す図から明らかなように８Ｂｙｔｅのデータからなる精算時刻データとしての自販機精算データを送信する（ステップＳ４）。
【００５１】
交信制御部４では、この自販機精算データを受信することにより、自動販売機１００側で精算が行われたことを認識でき、非接触式端末５による期間売上データの締め処理として、図１９の端末売上明細を示す図から明らかなように、記憶部４ａに記憶されている１件別の利用者ＩＤと購入日時と金額などの売上データに続いて、その締め日時として、交信制御部４側の時計４ｂによる時刻データと自動販売機側から送信されてきた精算データとが合せて記憶される（ステップＳ５）。
【００５２】
次に、交信制御部４は、その後、非接触式端末５による商品販売があれば、先の精算時刻データの記憶に続けて利用者ＩＤと購入日時と金額とを記憶しておく。
【００５３】
一方、センタ１０は、所定時間となると、データ要求とともに、（ステップＳ１０３）、現在時刻データを交信制御部４に送信する（ステップＳ１０６ａ）。現在時刻データを受信した交信制御部４では、自販機主制御部１に現在時刻を送信する（ステップＳ１０７ａ）。ここで、交信制御部４と自販機主制御部１では、それぞれ内蔵する時計４ｂ，時計１ｂに受信した現在時刻データを設定する。交信制御部４では前回送信した以降のデータから今回のデータ要求までのデータをセンタ１０に送信する（ステップＳ６ａ）。
【００５４】
次に、センタ１０にて収集したこのデータに締め精算時刻データが含まれており、かつデータ送信が正常終了すれば（ステップＳ７ａ）、交信制御部４から自販機制御部１へ締め結果が成功であったことを送信して（ステップＳ８ａ）、自販機主制御部１ではプリンタ７に対して、図２０の交信結果の印字内容を示す図から明らかなように、「シメコウシンＯＫ」と交信制御部４の端末情報とを印字させて処理を終了する（ステップＳ９）。
【００５５】
なお、データ送信に締めの精算時刻データが存在しない場合には、締め結果の印字はしない。
【００５６】
また、この図１３の例では、センタ収集方式および現在時刻同期方式で、かつ自動販売機のプリンタ７に設けられている起動スイッチ７ａにより締め処理を起動したが、図１に示したように交信制御部４に締め起動スイッチ９を設けても良く、この場合は、図１４に示した第１２の期間売上の締め処理手順を示す図のように、締め起動スイッチ９が操作されると（ステップＳ１０１）、操作されたことを交信制御部４で検知し、締め起動スイッチ９を検知したことを自販機主制御部１に送信する（Ｓ１０２）。この後の処理動作は、図１３と同様の締め処理であり（Ｓ２〜Ｓ９，Ｓ１０３，Ｓ１０６ａ）、説明を省略する。
【００５７】
なお、時刻同期方式に関しては、図５，図６に示した端末発呼方式でセンタ１０への期間売上データ送信前のデータクリア方式にも適用できる。
【００５８】
次に、図１５および図１６は、締め送信異常時の印字について説明するのものであり、それぞれ簡単に説明する。
【００５９】
まず、図１５は締め送信異常時に関する処理手順を示す図で、図５に示した第３の期間売上の締め処理の送信が異常である場合を示す。
【００６０】
すなわち、第３の期間売上の締め処理と同様に、交信制御部４からセンタ１０へデータを送信した際（ステップＳ６）、図５の処理に対し、交信が異常終了すると（ステップＳ７ｂ）、交信制御部４から自販機制御部１へ締め結果が失敗であったことを送信して（ステップＳ８ｂ）、自販機主制御部１ではプリンタ７に対して、例えば「シメコウシンＮＧ」と端末情報とを印字させて処理を終了する（ステップＳ９ａ）。
【００６１】
次に、図１６は締め送信異常時に関する処理手順の他の例を示す図、図７に第５の期間売上の締め処理の送信が異常である場合を示す。
【００６２】
すなわち、第５の期間売上の締め処理と同様に、センタ１０からのデータ要求に対して（ステップＳ１０３）、図７の処理に対し、交信制御部４からセンタ１０へデータを送信した際に異常終了すると（ステップＳ７ｂ）、交信制御部４から自販機制御部１へ締め結果が失敗であったことを送信して（ステップＳ８ｃ）、自販機主制御部１ではプリンタ７に対して、例えば「シメコウシンＮＧ」と端末情報とを印字させて処理を終了する（ステップＳ９ａ）。
【００６３】
ここで、締め結果が失敗であった場合、リトライさせてもよいし、「シメコウシンＮＧ」と端末情報との印字に続けてどうような理由により失敗したかを印字させるようにしてもよい。
【００６４】
なお、この図１５，図１６また、締め結果失敗について、代表例として図５，図７の場合を基に図１５，図１６を用いて説明したが、その他の締め処理手順においても同様処理を行うことできる。
【００６５】
次に、図２１ないし図２４は、上記締め処理の変形例を示す。
【００６６】
まず、図２４のブロック図に示すように、図１のブロック図に加え、ハンディターミナル（Ｈ／Ｔ）１１をアダプタ１２を介して自販機主制御部１に接続したものであり、このプリンタ７に代えて、このハンディテーミナル１１に売上情報を送信するものであり、この処理を図２１の第１３の期間売上の締め処理手順を示す図を参照して説明する。
【００６７】
まず、売上集計を行う際に、ハンディターミナル１１の起動スイッチを操作すると（ステップＳ２０１）、売上データ要求とクリア指示とが自動販売機側に送信される（ステップＳ２０２）。自動販売機１００側では、ハンディターミナル１１からの要求に基づいて期間売上データをハンディターミナル１１へ送信し（ステップＳ２０３）、ハンディターミナル１１への送信が完了すると、その送信された期間売上データを自販機主制御部１の記憶部１ａからクリアして（ステップＳ３）、自販機主制御部１側から交信制御部４に対し、図１７の自販機精算データを示す図から明らかなように８Ｂｙｔｅのデータからなる精算時刻データとしての自販機精算データを送信する（ステップＳ４）。
【００６８】
交信制御部４では、この自販機精算データを受信することにより、自動販売機１００側で精算が行われたことを認識でき、非接触式端末５による期間売上データの締め処理として、図１９の端末売上明細を示す図から明らかなように、記憶部４ａに記憶されている１件別の利用者ＩＤと購入日時と金額などの売上データに続いて、その締め日時として、交信制御部４側の時計４ｂによる時刻データと自動販売機側から送信されてきた精算データとが合せて記憶される（ステップＳ５）。
【００６９】
この締め処理をしたデータの送信は、前述した図５ないし図１６に示す方式に適用可能であり、端末発呼方式あるいはセンタ収集方式によって、センタへ送信されるものである。
【００７０】
ここでは、プリンタ７に代えて、ハンディターミナルを採用したが、ＬＣＤなどの表示器などに自動販売機の期間売上データを送信してもよく、このように売上データを受信できるように構成であればよく、各種方法が適用可能である。
【００７１】
次に、図２２は第１４の累計売上の締め処理手順を示す図で、自動販売機の売上として、期間売上ではなく、累計売上を印字して締め処理を行う例を示す。
【００７２】
図２２に示すように、累計の売上集計を行う際に、自動販売機１００側のプリンタ７の期間売上（累計）印字スイッチ７ｂが操作されると（ステップＳ３０１）、累計売上の印字が選択されたとして（ステップＳ３０２，ＹＥＳ）、プリンタ７により累計の売上データが印字されて、売上データが全て印字されると、自販機主制御部１側から交信制御部４に対し、図１７の自販機精算データを示す図から明らかなように８Ｂｙｔｅのデータからなる精算時刻データとしての自販機精算データを送信する（ステップＳ４）。
【００７３】
交信制御部４では、この自販機精算データを受信することにより、自動販売機１００側で精算が行われたことを認識でき、非接触式端末５による期間売上データの締め処理として、図１９の端末売上明細を示す図から明らかなように、記憶部４ａに記憶されている１件別の利用者ＩＤと購入日時と金額などの売上データに続いて、その締め日時としての精算時刻データが、交信制御部４側の時計４ｂによる時刻データと自動販売機側から送信されてきた精算データとが合せて記憶される（ステップＳ５）。
【００７４】
このように、期間売上（累計）印字スイッチ７ｂに基づく締め処理を選択する場合には、自動販売機の売上データはクリアされない。
【００７５】
また、期間売上（累計）印字スイッチ７ｂと期間売上クリア印字締め起動スイッ７ａとは併用でき、スイッチ７ａを使用した際には、データをクリアし、スイッチ７ｂを操作した際には、データはクリアしない。
【００７６】
なお、この締め処理をしたデータの送信は、前述した図５ないし図１６に示す方式に適用可能であり、端末発呼方式あるいはセンタ収集方式によって、センタへ送信されるものである。
【００７７】
次に、図２３は第１５の期間売上の締め処理手順を示す図で、非接触式端末５による期間売上データの締め処理を優先して行うものである。
【００７８】
図２３に示すように、自動販売機１００側の売上データ締め操作である期間売上クリア印字締め起動スイッチ７ａが操作されると（ステップＳ１）、この起動スイッチ７ａの操作時刻を自販機精算データとして交信制御部４に送信する（ステップＳ４ａ）。
【００７９】
交信制御部４では、この自販機精算データを受信することにより、自動販売機１００側で精算が行われたと仮定して、非接触式端末５による期間売上データの締め処理として、図１９の端末売上明細を示す図から明らかなように、記憶部４ａに記憶されている１件別の利用者ＩＤと購入日時と金額などの売上データに続いて、締め日時として、交信制御部４側の時計４ｂによる時刻データと自動販売機側から送信されてきた精算データとが合せて記憶される（ステップＳ５）。
【００８０】
ここで、交信制御部４は、この期間売上データと精算時刻データとを、通信端末８から端末発呼方式でセンタ１０に送信し（ステップＳ６）、データ送信が正常終了すれば（ステップＳ７）、交信制御部４から自販機制御部１へ締め結果が成功であったことを送信する（ステップＳ８）。
【００８１】
次に、自販機主制御部１は、プリンタ７に対して、「シメコウシンＯＫ」と交信制御部４の端末情報とを印字させて（ステップＳ９ｂ）、この後に、前回締め日時から今回締め日時までの日時が印字され、次に、例えばコラム別の期間売上データとが印字され、期間売上データが全て印字されると、最後に「（データクリア）」を印字し（ステップＳ２ｂ）、その印字された期間売上データを自販機主制御部１の記憶部１ａからクリアして（ステップＳ３ｂ）、処理を終了する。
【００８２】
このように、この実施形態においては、交信制御部４の締め処理がセンタ１０との間で正常に終了しない限り、自動販売機側の売上データの締め処理を行わないため、確実に締め処理を行うことがきできる。
【００８３】
また、締め処理異常の場合は、図１５，図１６の異常処理と同様に「シメコウシンＮＧ」と端末情報との印字を行う。
【００８４】
なお、図２３においては、起動スイッチ７ａを用いたが、このスイッチ７ａの操作に限るものではなく、スイッチ７ｂ、交信制御部４の起動スイッチ９、あるいはハンディターミナルの起動スイッチでもよい。また、前述の例では、センタ１０からはデータ要求のみであったが、締め起動をセンタ１０よりしてもよい。
【００８５】
次に、上述した各実施例は、交信制御部４の記憶部４ａに記憶されている非接触式端末５の期間売上データに関して、センタ１０にデータを送信するだけであったが、図２７に示すように、交信制御部４の記憶部４ａに記憶されている非接触式端末５の期間売上データを自動販売機側のプリンタ７にて印字できるようにした構成の処理手順を示す図を用いて処理を説明する。
【００８６】
この図において、プリンタ７に印字依頼を送信するまでの処理手順は上述した各実施例が考えられるために説明を省略し、ここでは該当の処理手順のみ説明する。
【００８７】
すなわち、図２７では、センタ１０に対し、交信制御部４から端末による期間売上データを送信し、締め交信が正常に終了すると、交信制御部４では、自動販売機のプリンタに対し、非接触式端末５による販売に関するデータの印字依頼を送信するものである。
【００８８】
ここで、印字内容としては、例えば、図２９に示す印字内容であり、自動販売機の時刻データ、自販機ＩＤ、端末による売上などがあるが、これに限られるものではない。
【００８９】
なお、自動販売機の時刻データを印字するのは、時刻同期を行わない場合に、自動販売機側と交信制御部側との時間のずれがわかり易い。
【００９０】
次に、交信制御部４から印字依頼を自動販売機の自販機主制御部１に送信した際に、自動販売機側にて販売中あるいは印字中の場合には、図２８に示すように依頼された印字ができないことを意味する信号として使用中あるいは販売中信号を交信制御部４側へ送信する。ここで、交信制御部４では、所定間隔をおいて、再度、印字依頼を自動販売機の自販機主制御部１に送信する。
【００９１】
このように、自動販売機側で交信制御部４からの印字依頼に対して、対応できない場合には、リトライを行うものであり、リトライ回数は適宜設定することができる。
【００９２】
なお、自動販売機側で既に印字中の場合としては、データ量が多いために分割して送信する場合などが考えられ、販売中の場合としては、センタとの交信が正常に終了し、印字依頼送信した時点において、自動販売機側で既に販売できる状態になっている場合が考えられる。
【００９３】
次に、締め処理は関係なく、交信制御部のデータを印字させることも可能であり、図３０に示すように交信制御部から印字依頼を自動販売機側に送信すると、例えば、図３１に示すように自動販売機の時刻データ、自販機ＩＤ、端末番号、前回の締め時刻などが印字されるが、これに限られるものではない。
【００９４】
また、プリンタについて、自動販売機側に設けられている例について説明したが、自動販売機側に設置されていない場合には、交信制御部側に設けてもよいが、前述したように、ハンディターミナル等を作業者が携帯することにより、プリンタを備えていない自動販売機には対応してもよい。
【００９５】
このように、プリンタおよび締め起動スイッチは、自動販売機側あるいは交信制御部側の一方あるいは両方に設けてもよく、また、ハンディテーミナルを使用する際には、ハンディテーミナルに表示器あるいはプリンタを設け、売上データを確認できるようにしてもよい。
【００９６】
さらに、締め交信前にデータクリアを行う処理方式では、通常の売上データ記憶領域からは削除されるが、次回の締め起動時までは印字した期間売上データを別の記憶エリアに記憶しておき、再期間売上クリア印字起動スイッチ７ｃの操作により印字のみ可能としてもよい。
【００９７】
【発明の効果】
本発明によれば、以下の効果が得られる。
（１）端末により商品を購入可能なように端末との間でデータ送受信を行う交信手段と、自動販売機の販売動作を制御する自販機制御部と、該自販機制御部と前記交信手段との間で各種データの処理を行う交信制御部とを備えた自動販売機において、商品の売上情報を記憶する第１の記憶手段と、端末による商品の売上情報を記憶する第２の記憶手段と、商品の売上情報を印字するプリンタと、商品の売上情報の期間売上の締め処理を指示するとともに、プリンタへの印字を指示する起動手段と、該起動手段の操作により期間売上のプリンタによる印字が終了すると、自販機制御部より精算データを交信制御部に送信する送信手段と、上記送信手段により精算データが送信されたことにより、第２の記憶手段に記憶されている商品売上情報の期間売上の締め処理を行う手段とを備えることにより、自動販売機と端末との売上集計が同期する事で、締め忘れが無くなり、売上照合が確実に行える。
（２）センタに端末の売上集計を送信することにより、センタで自動販売機で印字した印字内容とセンタ側で収集した端末の売上集計を照合できることで、より売上の照合が確実に行える。
（３）センタへの送信結果を自動販売機側で印字できることにより、送信結果が容易に判断でき、送信異常発生時には、印字結果を基に、不具合個所の検出が可能となる。
（４）センタへ端末の売上を送信してから、自動販売機側の売上の締め処理あるいはデータクリアすることで、確実に締め処理を行うことができる。
（５）売上集計を行う際、自動販売機側とセンタ側との時刻を同期させることで、集計時間のずれが生じることなく、照合が確実に行える。
（６）端末の売上情報も印字できるので、プリンタを共有することができ、しかも、印字内容は自動販売機に関係なく自由に変更できる。
【００９８】
また、印字依頼をリトライすることができるため、自動販売機側で使用中あるいは販売中であっても、印字を確実行なうことができる。
【００９９】
しかも、端末の売上情報を印字する前に自動販売機の時刻データを印字させることにより、時刻同期を行なうことなく、自動販売機側と交信制御部側との時刻差を確認することができる。
【図面の簡単な説明】
【図１】本発明の自動販売機の制御装置の一例を示すブロック図である。
【図２】本発明に採用されるプリンタの構成を示す図である。
【図３】本発明の第１の期間売上の締め処理手順を示す図である。
【図４】本発明の第２の期間売上の締め処理手順を示す図である。
【図５】本発明の第３の期間売上の締め処理手順を示す図である。
【図６】本発明の第４の期間売上の締め処理手順を示す図である。
【図７】本発明の第５の期間売上の締め処理手順を示す図である。
【図８】本発明の第６の期間売上の締め処理手順を示す図である。
【図９】本発明の第７の期間売上の締め処理手順を示す図である。
【図１０】本発明の第８の期間売上の締め処理手順を示す図である。
【図１１】本発明の第９の期間売上の締め処理手順を示す図である。
【図１２】本発明の第１０の期間売上の締め処理手順を示す図である。
【図１３】本発明の第１１の期間売上の締め処理手順を示す図である。
【図１４】本発明の第１２の期間売上の締め処理手順を示す図である。
【図１５】本発明の締め送信異常時に関する処理手順を示す図
【図１６】本発明の締め送信異常時に関する処理手順の他の例を示す図
【図１７】本発明の自販機精算データを示す図
【図１８】本発明の期間売上の印字内容を示す図
【図１９】本発明の端末売上明細を示す図
【図２０】本発明の交信結果の印字内容を示す図
【図２１】本発明の第１３の期間売上の締め処理手順を示す図である。
【図２２】本発明の第１４の売上の締め処理手順を示す図である。
【図２３】本発明の第１５の売上の締め処理手順を示す図である。
【図２４】本発明の自動販売機の制御装置の他の例を示すブロック図である。
【図２５】本発明の自動販売機前面の概略構成を示す正面図である。
【図２６】本発明の非接触式端末による商品販売方式の交信手順を示す図である。
【図２７】本発明の第１６の売上の締め処理手順を示す図である。
【図２８】本発明の第１７の売上の締め処理手順を示す図である。
【図２９】本発明の交信制御部の端末データの印字内容を示す図
【図３０】本発明の交信制御部の端末データの印字指令手順を示す図
【図３１】本発明の交信制御部の端末データの印字内容を示す図
【符号の説明】
１      自販機主制御部
２      接客部
３      接客交信部
４      交信制御部
５      非接触式端末
６      端末接客部
７      プリンタ
７ａ    期間売上クリア印字締め起動スイッチ
７ｂ    期間売上（累計）印字スイッチ
１０    センタ
１１    ハンディターミナル
１００  自動販売機
【図１】
2004334829.tif 000003
【図２】
2004334829.tif 000004
【図３】
2004334829.tif 000005
【図４】
2004334829.tif 000006
【図５】
2004334829.tif 000007
【図６】
2004334829.tif 000008
【図７】
2004334829.tif 000009
【図８】
2004334829.tif 000010
【図９】
2004334829.tif 000011
【図１０】
2004334829.tif 000012
【図１１】
2004334829.tif 000013
【図１２】
2004334829.tif 000014
【図１３】
2004334829.tif 000015
【図１４】
2004334829.tif 000016
【図１５】
2004334829.tif 000017
【図１６】
2004334829.tif 000018
【図１７】
2004334829.tif 000019
【図１８】
2004334829.tif 000020
【図１９】
2004334829.tif 000021
【図２０】
2004334829.tif 000022
【図２１】
2004334829.tif 000023
【図２２】
2004334829.tif 000024
【図２３】
2004334829.tif 000025
【図２４】
2004334829.tif 000026
【図２５】
2004334829.tif 000027
【図２６】
2004334829.tif 000028
【図２７】
2004334829.tif 000029
【図２８】
2004334829.tif 000030
【図２９】
2004334829.tif 000031
【図３０】
2004334829.tif 000032
【図３１】
2004334829.tif 000033